(57)【要約】      （修正有）【課題】 複数の工作機械の動作状態に応じて、工作機械の動作に必要な状態を提供する動作環境提供機へ電源供給の遮断を自動的に行うことができる電源遮断制御装置を提供する。【解決手段】 電気回路遮断機２７を用いることで、数値制御装置１１＿１〜１１＿６、型彫放電加工機１５、電線式放電加工機１７及び数値制御工作機械１９＿１、１９＿２の全てが非駆動状態になったときに、三相交流電源２５＿１、２５＿２から空気圧縮機２１及び圧縮空気除湿機２３への電力供給を自動的に停止する。【選択図】図１
0003223428.tif 000002
【実用新案登録請求の範囲】
【請求項１】
工作機械の動作状態に応じて、前記工作機械の動作に必要な状態を提供する動作環境提供機へ電源供給の遮断制御を行う電源遮断制御装置であって、
前記工作機械が非駆動状態になったことを条件に、前記動作環境提供機への駆動電力供給をオフに切り換える
電源遮断制御装置。
【請求項２】
前記動作環境提供機は、
複数の前記工作機械の駆動状態に応じた電力供給状態となる第１の電線が通る第１の開口部と、
外部電源から電力の供給を受ける第２の電線が通る第２の開口部と、
前記動作環境提供機に電力を供給する第３の電線が通る第３の開口部と
を備えた第１の筐体と、
前記第１の筐体内に設けられ、前記第１の電線の電力供給状態に基づいて、前記第２の電線と前記第３の電線との接続をオン・オフする第１のリレー回路と
を有する請求項１に記載の電源遮断制御装置。
【請求項３】
それぞれ複数の前記工作機械の駆動状態に応じた電力供給状態となる複数の第４の電線が通る第４の開口部と、
前記第１の電線が通る第５の開口部と
を備えた第２の筐体と、
前記第２の筐体内に設けられ、前記複数の第４の電線の電力供給状態を基に、前記複数の工作機械の全てが非駆動状態になったことを条件に、前記第１の電線の電力供給状態を切り換える第２のリレー回路と
を有する請求項２に記載の電源遮断制御装置。
【請求項４】
前記第１の筐体内に設けられ、前記第２の電線と前記第３の電線との少なくとも一方を固定する電線保持手段
を有する請求項３に記載の電源遮断制御装置。
【請求項５】
前記電線保持手段は、
前記第１の筐体に固定される固定部と、
前記第１の電線に向けた押圧力をもって前記第１の電線の外周面の一部に当接して内周面と
を備えている請求項４に記載の電源遮断制御装置。
【請求項６】
前記１の筐体内に設けられ、複数の前記第１の電線の端子を接続する端子台と、
前記第１の筐体内で、一端が前記第１の電線に電気的に接続され、他端が前記端子台の端子に圧着される圧着端子と
を有し、
前記圧着端子は、不滅系塗料を用いてインクジェットにより印字されている印字領域を有する
請求項２に記載の電源遮断制御装置。
【請求項７】
前記工作機械は数値制御工作機械であり、
前記動作環境提供機は、空気圧縮機及び圧縮空気除湿機の少なくとも一方であり、
前記外部電源は、三相交流電源である
請求項１〜６のいずれかに記載の電源遮断制御装置。
【請求項８】
複数の工作機械と、
前記工作機械の動作に必要な状態を提供する動作環境提供機と、
前記工作機械の動作状態に応じて、前記動作環境提供機へ電源供給の遮断制御を行う電源遮断制御装置と
を有し、
前記電源遮断制御装置は、
前記工作機械が非駆動状態になったことを条件に、前記動作環境提供機への駆動電力供給をオフに切り換える
工作システム。
【考案の詳細な説明】
【技術分野】
【０００１】
本考案は、工作機械の動作状態に応じて、前記工作機械の動作に必要な状態を提供する動作環境提供機へ電源供給の遮断制御を行う電源遮断制御装置、当該電源遮断制御装置を用いた工作システムに関するものである。
【背景技術】
【０００２】
例えば、複数の数値制御工作機械を配置した工場がある。このような工場には、数値制御工作機械に圧縮空気を供給するための空気圧縮機及び圧縮空気除湿器が配置されている。
工作機械は、空気圧縮機及び圧縮空気除湿器が生成した圧縮空気を基に工作動作を行う。
工場では、全ての工作機械の動作が停止した後に、作業員が空気圧縮機及び圧縮空気除湿器の電源を手動で落としている。
【考案の概要】
【考案が解決しようとする課題】
【０００３】
しかしながら、従来のように、作業員が空気圧縮機及び圧縮空気除湿器の電源を手動で落とす場合は、全ての工作機械の動作が停止するまで、作業員が工場で待機するか、工場に戻る必要があり、負担が大きいいという問題がある。
【０００４】
本考案はかかる事情に鑑みてなされたものであり、その目的は、複数の工作機械の動作状態に応じて、工作機械の動作に必要な状態を提供する動作環境提供機へ電源供給の遮断を自動的に行うことができる電源遮断制御装置、当該電源遮断制御装置を用いた工作システムを提供することを目的とする。
【課題を解決するための手段】
【０００５】
上述した従来の問題を解決し、上述した目的を達成するために、本考案の電源遮断制御装置は、工作機械の動作状態に応じて、前記工作機械の動作に必要な状態を提供する動作環境提供機へ電源供給の遮断制御を行う電源遮断制御装置であって、
前記工作機械が非駆動状態になったことを条件に、前記動作環境提供機への駆動電力供給をオフに切り換える。
【０００６】
好適には、前記動作環境提供機は、複数の前記工作機械の駆動状態に応じた電力供給状態となる第１の電線が通る第１の開口部と、外部電源から電力の供給を受ける第２の電線が通る第２の開口部と、前記動作環境提供機に電力を供給する第３の電線が通る第３の開口部とを備えた第１の筐体と、前記第１の筐体内に設けられ、前記第１の電線の電力供給状態に基づいて、前記第２の電線と前記第３の電線との接続をオン・オフする第１のリレー回路とを有する。
【０００７】
好適には、それぞれ複数の前記工作機械の駆動状態に応じた電力供給状態となる複数の第４の電線が通る第４の開口部と、前記第１の電線が通る第５の開口部とを備えた第２の筐体と、前記第２の筐体内に設けられ、前記複数の第４の電線の電力供給状態を基に、前記複数の工作機械の全てが非駆動状態になったことを条件に、前記第１の電線の電力供給状態を切り換える第２のリレー回路とを有する。
【０００８】
好適には、前記第１の筐体内に設けられ、前記第２の電線と前記第３の電線との少なくとも一方を固定する電線保持手段を有する。
【０００９】
好適には、前記電線保持手段は、前記第１の筐体に固定される固定部と、前記第１の電線に向けた押圧力をもって前記第１の電線の外周面の一部に当接して内周面とを備えている。
【００１０】
好適には、前記１の筐体内に設けられ、複数の前記第１の電線の端子を接続する端子台と、前記第１の筐体内で、一端が前記第１の電線に電気的に接続され、他端が前記端子台の端子に圧着される圧着端子とを有し、前記圧着端子は、不滅系塗料を用いてインクジェットにより印字されている印字領域を有する。
【００１１】
好適には、前記工作機械は数値制御工作機械であり、前記動作環境提供機は、空気圧縮機及び圧縮空気除湿機の少なくとも一方であり、前記外部電源は、三相交流電源である。
【００１２】
本考案の工作システムは、複数の工作機械と、前記工作機械の動作に必要な状態を提供する動作環境提供機と、前記工作機械の動作状態に応じて、前記動作環境提供機へ電源供給の遮断制御を行う電源遮断制御装置とを有し、前記電源遮断制御装置は、前記工作機械が非駆動状態になったことを条件に、前記動作環境提供機への駆動電力供給をオフに切り換える。
【考案の効果】
【００１３】
本考案によれば、複数の工作機械の動作状態に応じて、工作機械の動作に必要な状態を提供する動作環境提供機へ電源供給の遮断を自動的に行うことができる電源遮断制御装置、当該電源遮断制御装置を用いた工作システムを提供することができる。
【図面の簡単な説明】
【００１４】
【図１】図１は、本考案の実施形態に係る工作システムの全体構成図である。
【図２】図２は、図１に示す分収器の構成図である。
【図３】図３は、図１に示す電源遮断制御装置の構成図である。
【図４】図４は、図１に示す電源遮断制御装置内に設けらた第１の電線固定具の斜視図である。
【図５】図５は、図１に示す電源遮断制御装置内に設けらた第２の電線固定具の斜視図である。
【図６】図６は、図５に示す第２の電線固定具の断面図である。
【図７】図７は、図１に示す電源遮断制御装置内の端子台を説明するための図である。
【図８】図８は、図１に示す電源遮断制御装置内の端子台に装着される圧着端子を説明するための図である。
【図９】図９は、図１に示す電源遮断制御装置内の圧着端子が装着された状態の端子台を説明するための図である。
【図１０】図１０は、図１に示す工作システムの電源遮断動作を説明すうためのフローチャートである。
【考案を実施するための形態】
【００１５】
以下、本考案の実施形態に係る電源遮断制御装置、当該電源遮断制御装置を用いた工作システムについて説明する。
図１は、本考案の実施形態に係る工作システム１の全体構成図である。
【００１６】
図１に示すように、工作システム１は、例えば、数値制御装置１１＿１〜１１＿６、分収器１３＿１，１３＿２、型彫放電加工機１５、電線式放電加工機１７、数値制御工作機械１９＿１，１９＿２、空気圧縮機２１、圧縮空気除湿機２３、三相交流電源２５＿１，２５＿２、電気回路遮断機２７を有する。
【００１７】
数値制御装置１１＿１〜１１＿６，１９＿１，１９＿２の数、型彫放電加工機１５及び電線式放電加工機１７の数及び有無等は任意である。また、型彫放電加工機１５及び電線式放電加工機１７は、本考案の動作環境提供機の一例であり、工作機械の動作に必要な状態を提供するものであれば特に限定されない。
【００１８】
工作システム１は、工場内に配置されている。
空気圧縮機２１は、空気圧縮処理を行い、圧縮空気を生成する。
圧縮空気除湿機２３は、空気圧縮機２１が生成した圧縮空気の除湿を行う。
【００１９】
数値制御装置１１＿１〜１１＿６及び数値制御工作機械１９＿１，１９＿２は、空気圧縮機２１及び圧縮空気除湿機２３で生成した圧縮空気を基に動作する。
【００２０】
数値制御装置１１＿１〜１１＿３は、第４の電線１１＿１a〜１１＿３aを介して、分収器１３＿１に接続されている。
数値制御装置１１＿１〜１１＿３のそれぞれは、その駆動状態から非駆動状態に切り換わると、それぞれ第４の電線１１＿１a〜１１＿３aには交流電流が流れなくなる。当該交流電流が流れない状態が、電力供給がオフの状態である。
分収器１３＿１は、第１の電線１３＿１aを介して電気回路遮断機２７と電気的に接続している。
【００２１】
分収器１３＿１は、数値制御装置１１＿１〜１１＿３に接続された全ての第４の電線１１＿１a〜１１＿３aが交流電源が流れない状態（非駆動状態）になると、それに連動して第１の電線１３＿１aに交流電源が流れない状態（非駆動状態）になる。
このように、数値制御装置１１＿１〜１１＿３と電気回路遮断機２７との間に分収器１３＿１を介在させることで、電気回路遮断機２７は分収器１３＿１からの１本の第１の電線１３＿１aの電力供給状態を監視するだけで、数値制御装置１１＿１〜１１＿３の全てが非駆動状態になったか否かを判断できる。
【００２２】
図２は、図１に示す分収器１３＿１の構成図である。
図２に示すように、分収器１３＿１の第２の筐体５８は、数値制御装置１１＿１〜１１＿３からの第４の電線１１＿１a〜１１＿３aが通る第４の開口部５９＿１〜５９＿３を有する。
また、第２の筐体５８は、電気回路遮断機２７と接続する第１の電線１３＿１aが通る第５の開口部６５を有する。
【００２３】
分収器１３＿１の第２の筐体５８内には、例えば、リレー回路を構成する例えばコイル部６１＿１〜６１＿３と、接点部６３とを有する。
接点部６３の一端は交流電源の電極２５＿２aに接続された端子６２に接続され、他端は第１の電線１３＿１aに接続された端子６４に接続されている。
【００２４】
分収器１３＿１では、第４の電線１１＿１a〜１１＿３aの少なくとも一つに交流電流が流れている状態でコイル部６１＿１〜６１＿３からの電磁誘導により、接点部６３が接続状態になる。一方、分収器１３＿２では、第４の電線１１＿１a〜１１＿３aの全てに交流電流が流れていない状態で、コイル部６１＿１〜６１＿３からの電磁誘導がなくなり、接点部６３が非接続状態になる。これにより、第１の電線１３＿１aには交流電流は流れなくなる（非電力供給状態になる）。
【００２５】
数値制御装置１１＿４〜１１＿６は、第４の電線１１＿４a〜１１＿６aを介して、分収器１３＿２に接続されている。
分収器１３＿２は、図２に示す分収器１３＿１と基本的に同じ構成を有している。
【００２６】
数値制御装置１１＿４〜１１＿６のそれぞれは、その駆動状態から非駆動状態に切り換わると、それぞれ第４の電線１１＿４a〜１１＿６aには交流電流が流れなくなる。当該交流電流が流れない状態が、電力供給がオフの状態である。
分収器１３＿２は、第１の電線１３＿２aを介して電気回路遮断機２７と電気的に接続している。
【００２７】
分収器１３＿２は、数値制御装置１１＿４〜１１＿６に接続された全ての第４の電線１１＿４a〜１１＿６aが交流電源が流れない状態（非駆動状態）になると、それに連動して第１の電線１３＿２aが交流電源が流れない状態（非駆動状態）になる。
【００２８】
このように、数値制御装置１１＿１〜１１＿３と電気回路遮断機２７との間に分収器１３＿１を介在させることで、電気回路遮断機２７は分収器１３＿１からの１本の第１の電線１３＿１aの電力供給状態を監視するだけで、数値制御装置１１＿１〜１１＿３の全てが非駆動状態になったか否かを判断できる。
また、数値制御装置１１＿４〜１１＿６と電気回路遮断機２７との間に分収器１３＿２を介在させることで、電気回路遮断機２７は分収器１３＿２からの１本の第１の電線１３＿２aの電力供給状態を監視するだけで、数値制御装置１１＿４〜１１＿６の全てが非駆動状態になったか否かを判断できる。
【００２９】
電気回路遮断機２７は、分収器１３＿１，１３＿２からの第１の電線１３＿１a，１３＿２a、型彫放電加工機１５からの電線１５a、電線式放電加工機１７から電線１７a、数値制御工作機械１９＿１，１９＿２からの信号とを基に、これら全てが非駆動状態になったと判断すると、三相交流電源２５＿１から空気圧縮機２１への駆動電力供給及び三相交流電源２５＿２から圧縮空気除湿機２３への駆動電力供給を停止する。
【００３０】
すなわち、電気回路遮断機２７を用いることで、数値制御装置１１＿１〜１１＿６、型彫放電加工機１５、電線式放電加工機１７及び数値制御工作機械１９＿１，１９＿２の全てが非駆動状態になったときに、三相交流電源２５＿１，２５＿２から空気圧縮機２１及び圧縮空気除湿機２３への電力供給を自動的に停止できる。これより、手動による停止が必要なくなり、作業者の負担を軽減できる。
【００３１】
図３は、図１に示す電気回路遮断機２７の構成図である。
図３に示すように、電気回路遮断機２７の第１の筐体３９は、分収器１３＿１，１３＿２からの第１の電線１３＿１a，１３＿２aが通る第１の開口部３１＿１，３１＿２を有する。
【００３２】
また、第１の筐体３９は、型彫放電加工機１５からの電線１５aが通る第１の開口部３１＿３、電線式放電加工機１７からの電線１７aが通る第１の開口部３１＿４を有する。
また、電気回路遮断機２７は、数値制御工作機械１９＿１，１９＿２と通信を行うアンテナ４３を有している。
第１の筐体３９内において、第１の電線１３＿１a，１３＿２a，１５a，１７aは、それぞれリレー回路を構成するコイル部４１＿１〜４１＿４に接続されている。
数値制御工作機械１９＿１，１９＿２と通信を行うアンテナ４３は、コイル部４１＿６に接続されており、無線通信用のリレー回路が実現（搭載）されている。
【００３３】
また、電気回路遮断機２７内には、上記リレー回路を構成する接点部５１＿１,５１＿２を有する。
【００３４】
接点部５１＿１の一端は交流電源２５＿１からの第２の電線２５＿１aに接続された端子４２＿１に接続され、他端は空気圧縮機２１の電線２１aに接続された端子４３＿１に接続されている。
【００３５】
第１の電線１３＿１a，１３＿２a、電線１５a，電線１７a,アンテナ４３の全てが、交流が流れていない状態になると、接点部５１＿１がオフになり、第２の電線２５＿１aと第３の電線２１aとが非接続状態になる。これにより、三相交流電源２５＿１からの電力が空気圧縮機２１に供給されなくなる（非駆動状態になる）。
第１の筐体３９には、第２の電線２５＿１aが通る第２の開口部３２＿１と、第３の電線２１aが通る第３の開口部３３＿１が形成されている。
【００３６】
第１の筐体３９には、第２の電線２５＿１aを固定する第１の電線固定具７１が設けられている。
図４は、図１に示す第１の電線固定具７１の斜視図である。
第１の電線固定具７１は、例えば、図４に示す形状をしており、ネジ等で第１の筐体３９の側壁に固定される固定部７３と、第２の電線２５＿１aの外周面の一部に押し付けられる内周面７５とを有する。
【００３７】
接点部５１＿２の一端は交流電源２５＿２からの第２の電線２５＿２aに接続された端子４２＿２に接続され、他端は圧縮空気除湿機２３の第３の電線２３aに接続された端子４３＿２に接続されている。
第１の電線１３＿１a，１３＿２a、電線１５a，電線１７a,アンテナ４３の全てが交流が流れていない状態になると、接点部５１＿２がオフになり、第２の電線２５＿２aと第３の電線２３aとが非接続状態になる。これにより、三相交流電源２５＿２からの電力が圧縮空気除湿機２３に供給されなくなる（非駆動状態になる）。
【００３８】
第１の筐体３９には、第２の電線２５＿２aが通る第２の開口部３２＿２と、第３の電線２３aが通る第３の開口部３３＿２が形成されている。
【００３９】
第１の筐体３９には、第２の電線２５＿２aを固定する第２の電線固定具７２が設けられている。
図５は、図１に示す第２の電線固定具７２の斜視図である。図６は、図５に示す第２の電線固定具７２の断面図である。
第２の電線固定具７２は、例えば、図５及び図６に示す形状をしており、ネジ等で第１の筐体３９の底面に固定される固定部７２と、第２の電線２５＿２aの外周面の一部に押し付けられる内周面７６とを有する。
【００４０】
図７は、図３に示す第１の筐体３９内に設けられた端子台９１を説明するための図である。
端子台９１の端子には、第１の電線１３＿１a，１３＿２a，１５a，１７a等の端部に装着された図８に示す圧着端子９３が固定され、電気的に接続される。
図９は、図７に示す端子台９１の端子に、圧着端子９３が固定された状態を示す図である。
【００４１】
圧着端子９３は、不滅系塗料を用いてインクジェットにより印字されている印字領域を有する。このような印字領域を設けることで、圧着端子９３の接続ミスをなくすことができる。
【００４２】
以下、工作システム１の電源遮断動作を説明する。
図１０は、図１に示す工作システム１の電源遮断動作を説明するためのフローチャートである。
【００４３】
ステップＳＴ１：
全ての工作機械の電源が落ちる。
【００４４】
ステップＳＴ２：
電気回路遮断機２７のリレー動作により、三相交流電源２５＿１，２５＿２と空気圧縮機２１及び圧縮空気除湿機２３との間が非接続状態に切り換わる。
【００４５】
ステップＳＴ３：
空気圧縮機２１及び圧縮空気除湿機２３への電力供給が停止する。
【００４６】
以上説明したように、工作システム１では、電気回路遮断機２７を用いることで、数値制御装置１１＿１〜１１＿６、型彫放電加工機１５、電線式放電加工機１７及び数値制御工作機械１９＿１，１９＿２の全てが非駆動状態になったときに、三相交流電源２５＿１，２５＿２から空気圧縮機２１及び圧縮空気除湿機２３への電力供給を自動的に停止できる。これより、手動による停止が必要なくなり、作業者の負担を軽減できる。
【００４７】
また、工作システム１では、数値制御装置１１＿１〜１１＿６と電気回路遮断機２７との間に分収器１３＿１，１３＿２を介在させることで、電気回路遮断機２７は分収器１３＿１，１３＿２からの２本の第１の電線１３＿１a、１３＿２aの電力供給状態を監視するだけで、数値制御装置１１＿１〜１１＿６の全てが非駆動状態になったか否かを判断できる。これにより、電気回路遮断機２７の構成を簡単にできる。
【００４８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００４９】
上述した実施形態では、図２に示す分収器１３＿１は、第４の開口部５９＿１〜５９＿３及び第５の開口部６５を個別に設けた場合を例示したが、これらのうち全てあるいは一部を一つの開口部で形成してもよい。
【００５０】
また、図３に示す電気回路遮断機２７は、第１の開口部３１＿１〜３１＿４、第２の開口部３２＿１，３２＿２、第３の開口部３３＿１，３３＿２を個別に設けた場合を例示したが、これらのうち全てあるいは一部を一つの開口部で形成してもよい。
【００５１】
また、第１の電線固定具７１及び第２の電線固定具７２の形状等は特に限定されない。
【００５２】
また、分収器１３＿１，１３＿２を用いずに、数値制御装置１１＿１〜１１＿６からの第４の電線１１＿４a〜１１＿６aを直接、電気回路遮断機２７に接続してもよい。
【産業上の利用可能性】
【００５３】
本考案は、複数の工作機械を稼働するシステムに適用可能である。
【符号の説明】
【００５４】
１…工作システム
１１＿１〜１１＿６…数値制御装置
１１＿４a〜１１＿６a…第４の電線
１３＿１，１３＿２…分収器
１３＿１a，１３＿２a…第１の電線
１５…型彫放電加工機
１７…電線式放電加工機１７
１９＿１，１９＿２…数値制御工作機械
２１…空気圧縮機
２１a…第３の電線
２３…圧縮空気除湿機
２３a…第３の電線
２５＿１，２５＿２…三相交流電源
２５＿１a、２５＿２a…第２の電線
２７…電気回路遮断機
３９…第１の筐体
１１＿１a〜１１＿６a…第４の電線
３１＿１〜３１＿４…第１の開口部
３２＿１，３２＿２…第２の開口部
３３＿１，３３＿２…第３の開口部
５９＿１〜５９＿３…第４の開口部
６５…第５の開口部
７１…第１の電線固定具
７２…第２の電線固定具
【図１】
0003223428.tif 000003
【図２】
0003223428.tif 000004
【図３】
0003223428.tif 000005
【図４】
0003223428.tif 000006
【図５】
0003223428.tif 000007
【図６】
0003223428.tif 000008
【図７】
0003223428.tif 000009
【図８】
0003223428.tif 000010
【図９】
0003223428.tif 000011
【図１０】
0003223428.tif 000012
【手続補正書】
【提出日】令和1年8月7日(2019.8.7)
【手続補正１】
【補正対象書類名】実用新案登録請求の範囲
【補正対象項目名】全文
【補正方法】変更
【補正の内容】
【実用新案登録請求の範囲】
【請求項１】
工作機械の動作状態に応じて、前記工作機械の動作に必要な状態を提供する動作環境提供機へ電源供給の遮断制御を行う電源遮断制御装置であって、
前記工作機械が非駆動状態になったことを条件に、前記動作環境提供機への駆動電力供給をオフに切り換える
電源遮断制御装置。
【請求項２】
前記動作環境提供機は、
複数の前記工作機械の駆動状態に応じた電力供給状態となる第１の電線が通る第１の開口部と、
外部電源から電力の供給を受ける第２の電線が通る第２の開口部と、
前記動作環境提供機に電力を供給する第３の電線が通る第３の開口部と
を備えた第１の筐体と、
前記第１の筐体内に設けられ、前記第１の電線の電力供給状態に基づいて、前記第２の電線と前記第３の電線との接続をオン・オフする第１のリレー回路と
を有する請求項１に記載の電源遮断制御装置。
【請求項３】
それぞれ複数の前記工作機械の駆動状態に応じた電力供給状態となる複数の第４の電線が通る第４の開口部と、
前記第１の電線が通る第５の開口部と
を備えた第２の筐体と、
前記第２の筐体内に設けられ、前記複数の第４の電線の電力供給状態を基に、前記複数の工作機械の全てが非駆動状態になったことを条件に、前記第１の電線の電力供給状態を切り換える第２のリレー回路と
を有する請求項２に記載の電源遮断制御装置。
【請求項４】
前記第１の筐体内に設けられ、前記第２の電線と前記第３の電線との少なくとも一方を固定する電線保持手段
を有する請求項３に記載の電源遮断制御装置。
【請求項５】
前記電線保持手段は、
前記第１の筐体に固定される固定部と、
前記第１の電線に向けた押圧力をもって前記第１の電線の外周面の一部に当接する内周面と
を備えている請求項４に記載の電源遮断制御装置。
【請求項６】
前記第１の筐体内に設けられ、複数の前記第１の電線の端子を接続する端子台と、
前記第１の筐体内で、一端が前記第１の電線に電気的に接続され、他端が前記端子台の端子に圧着される圧着端子と
を有し、
前記圧着端子は、不滅系塗料を用いてインクジェットにより印字されている印字領域を有する
請求項２に記載の電源遮断制御装置。
【請求項７】
前記工作機械は数値制御工作機械であり、
前記動作環境提供機は、空気圧縮機及び圧縮空気除湿機の少なくとも一方であり、
前記外部電源は、三相交流電源である
請求項２〜６のいずれかに記載の電源遮断制御装置。
【請求項８】
複数の工作機械と、
前記工作機械の動作に必要な状態を提供する動作環境提供機と、
前記工作機械の動作状態に応じて、前記動作環境提供機へ電源供給の遮断制御を行う電源遮断制御装置と
を有し、
前記電源遮断制御装置は、
前記工作機械が非駆動状態になったことを条件に、前記動作環境提供機への駆動電力供給をオフに切り換える
工作システム。
【手続補正２】
【補正対象書類名】明細書
【補正対象項目名】０００９
【補正方法】変更
【補正の内容】
【０００９】
好適には、前記電線保持手段は、前記第１の筐体に固定される固定部と、前記第１の電線に向けた押圧力をもって前記第１の電線の外周面の一部に当接する内周面とを備えている。
【手続補正３】
【補正対象書類名】明細書
【補正対象項目名】００１０
【補正方法】変更
【補正の内容】
【００１０】
好適には、前記第１の筐体内に設けられ、複数の前記第１の電線の端子を接続する端子台と、前記第１の筐体内で、一端が前記第１の電線に電気的に接続され、他端が前記端子台の端子に圧着される圧着端子とを有し、前記圧着端子は、不滅系塗料を用いてインクジェットにより印字されている印字領域を有する。